(57)【要約】【課題】  円筒状の台金の外周に超砥粒層が設けられた複数のビーズがワイヤーロープに挿通され被覆部材にてワイヤーロープに接合固定されたワイヤーソーで、ワイヤーロープが破断しにくく、切断中の振れを大幅に抑制でき安定した切断のできるワイヤーソーおよびその製造方法を提供する。【解決手段】  ビーズ間のワイヤーロープ外周にはコイルバネを設け、コイルバネとワイヤーロープとの隙間およびコイルバネの外周には被覆部材を設けるとともに、ワイヤーロープ、ビーズおよびコイルバネの３者の軸心を半径０．１ｍｍの円周内に収める。また製造方法として、被覆部材を形成する工程で、ゴムを注入して加硫させる際にはワイヤーロープおよびビーズを金型により固定した状態で行う。好ましくは、金型に突起を設け、その突起でコイルバネを押さえて弾性変形させた状態で行う。【選択図】      図１
2006150515.tif 000002
【特許請求の範囲】
【請求項１】
円筒状の台金の外周に超砥粒層が設けられた複数のビーズが、ワイヤーロープに挿通され、被覆部材にて前記ワイヤーロープに接合固定されたワイヤーソーであって、
前記ビーズ間の前記ワイヤーロープ外周には、コイルバネが設けられ、
前記コイルバネと前記ワイヤーロープの隙間および前記コイルバネの外周には被覆部材が設けられるとともに、
前記ワイヤーロープ、前記ビーズ、および前記コイルバネの３者の軸心は、半径０．１ｍｍの円周内に収まっていることを特徴とするワイヤーソー。
【請求項２】
前記ビーズの前側および後側の被覆部材には凹部が設けられ、前記凹部は被覆部材成形用の金型に形成された突起により形成されたものであり、前記凹部の底面形状は前記コイルバネのスプリングバックにより変形していることを特徴とする請求項１に記載のワイヤーソー。
【請求項３】
前記凹部は、前記被覆部材の円周方向に断続する複数の凹部であることを特徴とする請求項１または２に記載のワイヤーソー。
【請求項４】
前記被覆部材は、加硫ゴムであることを特徴とする請求項１〜３のいずれかに記載のワイヤーソー。
【請求項５】
前記ビーズに形成された穴とワイヤーロープとの直径差は、０．２〜０．６ｍｍであることを特徴とする請求項１〜４のいずれかに記載のワイヤーソー。
【請求項６】
円筒状の台金の外周に超砥粒層が設けられた複数のビーズが、ワイヤーロープに挿通され、被覆部材にて前記ワイヤーロープに接合固定されるとともに、前記ビーズ間の前記ワイヤーロープ外周にはコイルバネが設けられたワイヤーソーの製造方法であって、
前記ビーズを前記ワイヤーロープに挿通した状態で金型にセットする工程と、
前記金型内にゴムを注入して加硫させることにより被覆部材を形成する工程とを含み、
少なくとも前記ゴムを注入して加硫させる際には、前記ワイヤーロープおよび前記ビーズを前記金型により固定した状態で行うことを特徴とするワイヤーソーの製造方法。
【請求項７】
前記ワイヤーロープの固定は、前記金型に設けた突起により前記コイルバネを押さえながら弾性変形させ、前記コイルバネの内径を前記ワイヤーロープの外径と略同径にすることで固定させることを特徴とする請求項６に記載のワイヤーソーの製造方法。
【請求項８】
前記被覆部材は、加硫ゴムであることを特徴とする請求項７に記載のワイヤーソーの製造方法。
【発明の詳細な説明】
【技術分野】
【０００１】
本発明は、石材、コンクリートなどの切断に使用されるワイヤーソーおよびその製造方法に関する。
【背景技術】
【０００２】
従来、石材やコンクリートを切断する工具の一つとして、ワイヤーソーが使用される。ワイヤーソーは、ワイヤーロープを芯材として多数のビーズを挿通し固定したものである。ビーズは円筒状の台金の外周部にリング状の超砥粒層が固着されており、この超砥粒層に含まれるダイヤモンドなどの超砥粒が切刃となって石材やコンクリートを切断する。ビーズをワイヤーロープに固定する方法としては、ビーズの台金の一部をかしめて機械的に固定する方法やワイヤーロープとビーズの台金の周囲にゴムや樹脂などの被覆部材を設け、被覆部材との接着により固定する方法などがある。
【０００３】
これらの固定方法にはそれぞれ利点や欠点を有している。まず、台金をかしめて固定する方法では、台金を変形させることにより高い固定力を得ることができるが、その反面ワイヤーロープを変形させることになり、使用時には変形した状態で繰り返しの屈曲が行われるため、ワイヤーロープが破断しやすくなる。しかも、台金とワイヤーロープが直接接してワイヤーロープの素線に傷を付けるために破断しやすくなる上、屈曲する際に擦れあってワイヤーロープが摩耗するため、より破断しやすくなる。
【０００４】
一方、被覆部材との接着による固定方法では、ワイヤーロープを変形させることは少なく、繰り返しの屈曲に対しても耐久性が向上する。しかも、ワイヤーロープと台金との隙間にも被覆部材を充填することで両者が直接接触することを防止でき、屈曲させてもワイヤーロープは摩耗しない。その反面、ビーズの固定はゴムや樹脂などの柔軟な材料によるため、使用中にビーズに抵抗がかかった時にワイヤーロープの長さ方向にずれやすくなる。そしてビーズがずれてダンゴ状になると、被覆部材が盛り上がって径が大きくなり切断溝に引っかかってしまうため、使用を中断する必要が生じる。この場合、ワイヤーソーの回転を止め、ビーズがずれた部分を切断除去した上で再度ワイヤーソーを接続して使用することになるので、切断除去する部分が無駄になる上、作業効率も悪くなる。
【０００５】
この問題を防止するものとして、ビーズ間のワイヤーロープ外周にゴム製の被覆部材を設け、その被覆部材の中にコイルバネを設けたワイヤーソーがある。このワイヤーソーでは、コイルバネの存在により、被覆部材による各ビーズ間の間隔を保持する力が増して、ビーズの移動を抑制するとともに、仮にビーズが大きく移動して、被覆部材に亀裂が入って破損しても、コイルバネとの接合により被覆部材の盛り上がりが抑制されてダンゴ状になりにくいとされている（例えば、特許文献１参照）。
【特許文献１】特開平９−２２５７３５号公報
【発明の開示】
【発明が解決しようとする課題】
【０００６】
しかしながら、特許文献１に記載のワイヤーソーでは、被覆材料の注入圧力のために、ビーズに対してワイヤーロープが偏心した状態で被覆部材が形成されることになる。特に、被覆材料にゴムを使用する場合、注入圧力がゴム材料にかかり、そのゴム材料がワイヤーロープに圧力をかけるため非常に偏心が起こりやすくなる。このワイヤーロープが偏心したワイヤーソーの部分断面図を図３に示す。このワイヤーソー１では、図の下方向にワイヤーロープ３が片寄り、ワイヤーロープ３を基準として見ると、コイルバネ４は上方向に片寄っていて、ワイヤーロープ３、ビーズ２、コイルバネ４それぞれの軸心が一致せずにずれている。このようにワイヤーロープ３がビーズ２に対して大きく偏心していると、ワイヤーソーを回転させた時に、非常に大きく振れることになる。特に、被覆材料にゴムを使用する場合、樹脂などに比べても弾性力に富んでいるため非常に振れやすく、ガイドプーリーからはずれて度々切断作業を中断しなければならないという問題が発生する。
【０００７】
ワイヤーロープ３が偏心する理由は以下の様に考えられる。被覆部材の成形時にワイヤーロープ３を保持するのはビーズ２に形成された穴の内面２ｃのみであり、この内面２ｃにワイヤーロープ３が接する状態で被覆部材５が形成される。一般に、ビーズ２の穴径ｈはワイヤーロープ３に挿通する際に摩擦が生じてワイヤーロープ３に傷を付けるのを防止するためワイヤーロープ３の直径より大きくしてあり、特にビーズ２の穴とワイヤーロープ３との隙間に意識的に被覆部材５を充填させるものでは０．３〜０．５ｍｍ程度の直径差を設けてある。そのため、被覆材料５を注入する際にその注入圧力により穴の片側にワイヤーロープ３が寄ってしまい、ビーズ２に対してワイヤーロープ３が偏心した状態になる。コイルバネ４が設けられたものでは、ビーズ２間のワイヤーロープ３はコイルバネ４で保持されるためコイルバネ４が無いものよりは偏心の度合いは少ないが、それでもコイルバネ４の内径はワイヤーロープ３の直径より大きいため偏心は起こりうる。また、コイルバネ４がワイヤーロープ３に対して偏心していると、ビーズ２間の被覆部材５が摩耗したときにコイルバネ４の片側の一部分だけが露出し、被切断物と接触する部分が被覆部材であったりコイルバネであったりするため、非常に不安定な状態になり、ますますワイヤーソーの振れを大きくしてしまう。このような偏心を防ぐには、ビーズ２やコイルバネ４の内径とワイヤーロープ３の直径とをできるだけ近づけることが考えられるが、直径差がほとんど無い場合はお互いに摩擦摩耗し、ワイヤーロープ３が破断するという問題が生じる。以上のようなことから、本発明のワイヤーソーは、ワイヤーロープが破断しにくく、切断中の振れを抑制して安定した切断ができるワイヤーソーおよびその製造方法を提案するものである。
【課題を解決するための手段】
【０００８】
本発明のワイヤーソーの第１の特徴は、円筒状の台金の外周に超砥粒層が設けられた複数のビーズが、ワイヤーロープに挿通され、被覆部材にて前記ワイヤーロープに接合固定されたワイヤーソーであって、前記ビーズ間の前記ワイヤーロープ外周には、コイルバネが設けられ、前記コイルバネと前記ワイヤーロープの隙間および前記コイルバネの外周には被覆部材が設けられるとともに、前記ワイヤーロープ、前記ビーズ、および前記コイルバネの３者の軸心は、半径０．１ｍｍの円周内に収まっていることである。
【０００９】
ワイヤーソーを使用する時には、円盤状のプーリーにワイヤーソーをセットし、張力をかけて回転させる。張力をかけると芯材であるワイヤーロープが直線上に張られる。この時にビーズがワイヤーロープに対して偏心していると、超砥粒層が被切断部に接触する時に不均一な接触状態になるため、振れが発生しやすくなる。従って、上記のような構成にすることで、切断中のワイヤーソーの振れを防止することができ、安定した切断ができるとともに振れによる衝撃でビーズが破損することが防止できる。
【００１０】
第２の特徴は、前記ビーズの前側および後側の被覆部材には凹部が設けられ、前記凹部は被覆部材成形用の金型に形成された突起により形成されたものであり、前記凹部の底面形状は前記コイルバネのスプリングバックにより変形していることである。
【００１１】
凹部は被覆部材を成形するための金型の突起により形成される。この金型の突起によりコイルバネを保持しながら被覆部材が成形されているので、被覆部材がコイルバネやワイヤーロープに対して偏心する度合いが小さくなる。さらに、金型の突起によりコイルバネを径方向に僅かに弾性変形させた状態で保持しながら被覆部材を注入することになるので、コイルバネとワイヤーロープとの偏心の度合いが極めて小さくなり、ワイヤーロープとビーズの軸心も一致あるいは極めて近づく。そして、被覆部材の成形後、圧縮力から解放されるとコイルバネの直径が大きくなるため、被覆部材に張力が働き凹部の底面形状が変形して凹凸ができる。この張力がかかっている凹凸があることで、切断中に凹部に入り込んだ切粉が外部に排出されやすくなり凹部に溜まるのを防止できる。その結果、切粉で被覆部材が損傷するのを防止できる。特に凹部は被覆部材の厚みが薄いので損傷を受けやすく、損傷防止には効果的である。
【００１２】
また、上記のようにコイルバネとワイヤーロープとの偏心の度合いが小さいので、凹部以外のコイルバネの外周側の被覆部材の厚みが均一になる。その結果、コイルバネの一部分だけが露出することもなくなり、切断中のワイヤーソーの振れが防止される。
【００１３】
第３の特徴は、前記凹部は、前記被覆部材の円周方向に断続する複数の凹部であることである。
【００１４】
凹部を断続的に形成することで、被覆部材の強度が大幅に低下するのを防止でき、凹部から損傷することを防止できる。
【００１５】
第４の特徴は、前記被覆部材は、加硫ゴムであることである。
【００１６】
被覆部材として使用される材料には加硫ゴムや樹脂があるが、加硫ゴムは樹脂に比べて流動性が悪く、成形時にワイヤーロープをビーズに対して偏心させる度合いが大きくなる。しかし、上記のようにコイルバネを弾性変形させてワイヤーロープを保持したものでは偏心するのを防止できる。また、加硫ゴムは伸縮に対する耐久性が高いので、上記のようにコイルバネのスプリングバックにより加硫ゴムに引張応力がかかってもワイヤーロープやビーズから剥がれにくい。
【００１７】
第５の特徴は、前記ビーズに形成された穴とワイヤーロープとの直径差を、０．２〜０．６ｍｍとしたことである。なお、ワイヤーロープの表面は多数の素線で形成されているため凹凸を有するが、本願ではワイヤーロープの直径は最も突出した部分の外径（図１、図３でｄに相当）と定義する。
【００１８】
このような構成にすることで、ビーズの穴とワイヤーロープとの隙間に被覆部材が確実に充填され、ビーズとワイヤーロープとが接触するのを防止できるのでワイヤーロープの破断が防止される。
【００１９】
また、本発明のワイヤーソーの製造方法の第１の特徴として、円筒状の台金の外周に超砥粒層が設けられた複数のビーズが、ワイヤーロープに挿通され、被覆部材にて前記ワイヤーロープに接合固定されるとともに、前記ビーズ間の前記ワイヤーロープ外周にはコイルバネが設けられたワイヤーソーの製造方法であって、
前記ビーズを前記ワイヤーロープに挿通した状態で金型にセットする工程と、
前記金型内にゴムを注入して加硫させることにより被覆部材を成形する工程とを含み、
少なくとも前記ゴムを注入して加硫させる際には、前記ワイヤーロープおよび前記ビーズを前記金型により固定した状態で行うことである。
【００２０】
このようにワイヤーロープおよびビーズを金型により固定した状態で行うことにより、ワイヤーロープに対してビーズが偏心するのを防止できる。
【００２１】
第２の特徴として、前記ワイヤーロープの固定は、前記金型に設けた突起により前記コイルバネを押さえながら弾性変形させ、前記コイルバネの内径を前記ワイヤーロープの外径と略同径にすることで固定させることである。
【００２２】
コイルバネを外周側から押さえて弾性変形させることでコイルバネの内径をロープ外径と略同径にすることができ、その状態で被覆部材を成形するので、ワイヤーロープに対してコイルバネが偏心するのを防止できる。そして、被覆部材成形後に金型から取り出せば、弾性変形していたコイルバネは元の直径に戻り、ワイヤーロープとコイルバネは接触しない状態になるので接触を原因とするワイヤーロープの破断を防止できる。
【００２３】
第３の特徴として、前記被覆部材は加硫ゴムとしたことである。
【００２４】
被覆部材として使用される材料には、加硫ゴムや樹脂があるが、加硫ゴムは樹脂に比べて流動性が悪く、注入圧力も高くなるため、成形時にワイヤーロープをビーズに対して偏心させる度合いが大きくなる。しかし、上記のようにコイルバネを弾性変形させてワイヤーロープを保持したものでは偏心の度合いが大きくなるのを防止できる。また、加硫ゴムは伸縮に対する耐久性も高いので、上記のようにコイルバネのスプリングバックにより加硫ゴムに引張応力がかかってもワイヤーロープやビーズから剥がれにくい。
【発明の効果】
【００２５】
本発明のワイヤーソーでは、ワイヤーロープ、ビーズ、コイルバネのそれぞれの偏心の度合いが極めて小さいので、ワイヤーソーを安定して回転させることができ、振れの発生を大幅に抑制することができる。しかも被覆部材によりお互いに接触しない構造になっているのでワイヤーロープが破断しにくく、ワイヤーソーの寿命が大幅に向上する。特に、被覆部材にゴムを使用した柔軟性のあるワイヤーソーにおいて、振れを大幅に抑えることができる。また、本発明のワイヤーソーの製造方法では、ワイヤーロープ、ビーズ、コイルバネのそれぞれの偏心の度合いが極めて小さいワイヤーソーを容易に製造することができ、しかも低コストで製造できる。
【発明を実施するための最良の形態】
【００２６】
本発明のワイヤーソーの部分断面図を図１に、部分外観図を図２に示す。図１を参照して、ビーズ２は円筒状の台金２ｂの外周に超砥粒層２ａが設けられたものであり、ワイヤーロープ３に挿通されている。また、ビーズ２間にはコイルバネ４が挿通されている。そして、ビーズ２、コイルバネ４およびワイヤーロープ３は被覆部材５によりお互いに接合固定されている。ビーズ２の軸心Ｍとワイヤーロープ３の軸心Ｎとは一致しているか、あるいはずれていても最大で半径０．１ｍｍの円周内に収まっている。すなわち、図１の偏心量ｘは０．２ｍｍ以内になっている。次に図２を参照して、各ビーズ２の前側および後側付近の被覆部材４には円周方向に断続する複数の凹部５ａが設けられていて、凹部５ａの底面形状は変形し、凹凸５ｂが形成されている。凹部５ａ底面の被覆部材５の厚みは被覆部材５の他の部分（凹部の無い部分）の厚みより薄くなっており、コイルバネ４と凹部５ａ底面との厚みは最も薄い部分で０．１ｍｍ以下とするのが好ましい。この厚みが厚くなると、被覆部材５とコイルバネ４との偏心の度合いが大きくなるためである。ビーズ２に形成された穴とワイヤーロープ３との直径差は０．２〜０．６ｍｍになっており、両者の隙間に被覆部材５が充填されている。
【００２７】
本発明のワイヤーソーの製造方法について好ましい形態を以下に説明する。図４に被覆部材５の成形前後の概略図を示す。図４（ａ）を参照して、ビーズ２とコイルバネ４を交互にワイヤーロープ３に挿通した後、これらを被覆部材成形用の下金型６ａに載置する。被覆部材成形用金型６は上下の分割型になっており、約１６０度に加熱された熱板（図示せず）に取り付けられている。この金型はビーズ２やコイルバネ４が嵌まり込む形状の雌型になっており、ビーズ２間の被覆部材５を形成する部分には円周方向に断続する複数の突起７が設けられて、この複数の突起７によりコイルバネ４を保持するようになっている。図４（ｂ）を参照して、下金型６ａにビーズ２とコイルバネ４を挿通したワイヤーロープ３を載置した後、下金型６ａの上に上金型６ｂを密着させる。この時点で、ビーズ２は上下の金型６に接触しており、コイルバネ４は複数の突起７により弾性変形させられ、コイルバネ４の少なくとも一部分の直径が小さくなって、コイルバネ４の内周面はワイヤーロープ３に接触する。その後、被覆材料である未加硫ゴムを加圧しながら金型６内に注入し、約１０分間保持して加硫させる。以上のようにして被覆部材５を成形した後、図４（ｃ）に示すように、一体となったビーズ２、コイルバネ４、ワイヤーロープ３を金型６から取り出せばワイヤーソー１の形状となる。被覆材料の成形中には、コイルバネ４が弾性変形しているが、金型６から取り出した時点で圧力から解放され元の形状に戻る。そのため被覆部材５には引張応力がかかり、金型６の突起により被覆部材５に形成された凹部５ａは若干変形した形状になり、凹部５ａの底面には凹凸５ｂが形成される。
【実施例１】
【００２８】
本発明のワイヤーソーとして図１に示すワイヤーソーを、また従来のワイヤーソーとして図３に示すワイヤーソーを製作した。いずれのワイヤーソーにも共通の仕様として、ビーズの直径は１０．５ｍｍ、ビーズの穴径は５．２ｍｍ、ワイヤーロープ径４．９ｍｍ（公称径は４．７６ｍｍのもの）、コイルバネの外径７．５ｍｍ、コイルバネの内径５．１ｍｍのものを用い、ビーズのピッチは２５ｍｍとした。これらの仕様のビーズおよびワイヤーロープを用いて前述の方法により被覆部材を成形し、長さが６ｍのワイヤーソーを製作した。なお、本発明のワイヤーソーは、被覆部材の成形時には金型の突起によりコイルバネが弾性変形させられ、外径が７．５ｍｍのものが７．２ｍｍになっていた。また、被覆部材に形成された凹部は、円周方向に等間隔に４ヶ設け、凹部の円周方向長さＬ１および凹部と凹部の間の円周方向長さＬ２を同じとした。
【００２９】
以上のようにして本発明のワイヤーソーと従来のワイヤーソーを各３本製作した。これらのワイヤーソーのビーズとワイヤーロープの偏心量ｘは、本発明のワイヤーソーが０〜０．１ｍｍのものが１本、０．１〜０．２ｍｍのものが２本であったのに対し、従来のワイヤーソーは、０．３〜０．４ｍｍのもの、０．４〜０．６ｍｍのもの、０．５〜０．６ｍｍのものが各１本ずつであった。
【００３０】
これらのワイヤーソーを用いて、鉄筋コンクリートの切断試験を行った。被切断物として直径１６ｍｍの鉄筋が入った耐圧強度２５５ｋｇ／ｃｍ２のコンクリート（配筋率１．１％）を用い、ワイヤーソー小型切断機（コンセック製ＤＳＭ−１０Ｖ）により切断を行った。１つの切断面の大きさは１．０ｍ２であり、切断中のワイヤーソーの振れの大きさとコイルバネが露出するまでの切断量、およびコイルバネが露出してからの振れの大きさを測定した。振れの大きさは、駆動プーリーと被切断物との間の約１ｍの長さの部分でのワイヤーソーの振幅を測定した。この結果を表１に示す。
【００３１】
【表１】
2006150515.tif 000003
【００３２】
表１に示すように、切断速度については本発明のワイヤーソーと従来のワイヤーソーとでは大きな差がないものの、本発明のワイヤーソーは従来のワイヤーソーに比べて大幅に振れが小さいことがわかる。そして、コイルバネが露出するまでの切断面積は本発明品が従来品に比べて２倍以上であり、コイルバネが露出してからの振れの大きさも本発明のワイヤーソーの方が小さく、安定した切断ができることがわかった。
【産業上の利用可能性】
【００３３】
本発明のワイヤーソーは、鉄筋コンクリート構造物の切断や山から原石を切り出すための切断ならびに原石を切断する加工などに用いることができる。
【図面の簡単な説明】
【００３４】
【図１】本発明のワイヤーソーの部分断面図である。
【図２】本発明のワイヤーソーの部分外観図である。
【図３】従来のワイヤーソーの部分断面図である。
【図４】本発明のワイヤーソーの被覆部材の成形工程を示す概念図である。
【符号の説明】
【００３５】
１    ワイヤーソー
２    ビーズ
２ａ  超砥粒層
２ｂ  台金
２ｃ  穴の内面
３    ワイヤーロープ
４    コイルバネ
５    被覆部材
５ａ  凹部
５ｂ  凹凸
６    被覆部材成形用金型
６ａ  下金型
６ｂ  上金型
７    突起
【図１】
2006150515.tif 000004
【図２】
2006150515.tif 000005
【図３】
2006150515.tif 000006
【図４】
2006150515.tif 000007